(57)【要約】【課題】レバー操作、新聞二つ折り作業の削減、暗中時の容易な銘柄確認の実現、バイク走行時の危険性の減少、及び車両を盗難防止し、かつ容易な駐車作業の実現させること。【解決手段】一側面に凹状間隙を持つ箱体に、新聞の見出し面を凹状間隙側に向け、折目を上にして底面と直立させて積層収納し、箱内部の凹状間隙側に前側規制部と、凹状間隙部分の左右両端辺を支点として開閉する取出口を設置し、前側規制部と反対面に後側規制部を設置し、前後側規制部を付勢する付勢部材を設け、後側規制部を前側規制部へと密着させるよう、それに応じた長さを付勢部材に持たせ、内部に積層収納される密着状態の新聞を、取出口近付で分離状態とするよう、後側規制部より深い規制角度を前側規制部に持たせ、更に、箱体数箇所にフックを付設し、そこに錠前機構を備えたケーブルを設置し、箱体のフック同士をケーブルにて連結可能にした。【選択図】図１
2008222308.tif 000002
【特許請求の範囲】
【請求項１】
有底方形箱体の底面以外四側面の一面に、凹状間隙を有する本体と、前側規制部と、取出し口と、後側規制部と、付勢部材を有し、前記本体内部の凹状間隙側側面に前側規制部を設け、凹状間隙部分の左右両端辺を支点として開閉する新聞取出し口を設置し、本体内部の凹状間隙側面と反対面に後側規制部を設置し、前側規制部と後側規制部を付勢する付勢部材を有する新聞販売業車両用収納箱。
【請求項２】
前記箱体の内部において、出荷状態の新聞を、見出し面を凹状間隙側に向けた状態で、折目を上に底面と直立させて積層して収納し、箱体内部の凹状間隙側に前側規制部と、凹状間隙部分の左右両端辺を支点として開閉する新聞取出し口を設置し、出荷状態の新聞を半折して取出すことを特徴とする請求項１に記載の新聞販売業車両用収納箱。
【請求項３】
前記箱体の内部において、前側規制部が設置された面と反対面に後側規制部を設置し、前側規制部と後側規制部を付勢する付勢部材を設置し、最終的に後側規制部を前側規制部へと密着させるのに必要とされる、そのストロークに応じた長さを付勢部材に持たせたことを特徴とする、請求項１に記載の新聞販売業車両用収納箱。
【請求項４】
前記箱体において、内部に積層される互いに密着状態にある新聞の束を、取出し口付近で分離状態とする、後側規制部より深い規制角度を有した前側規制部を持つことを特徴とした、請求項１に記載の新聞販売業車両用収納箱。
【請求項５】
前記箱体において、箱体の数箇所に堅牢なフックを付設し、更に、そのフックに錠前機構を備えたケーブルを設置し、隣り合う箱体のフック同士をケーブルにて連結可能にした、請求項１に記載の新聞販売業車両用収納箱。
【発明の詳細な説明】
【技術分野】
【０００１】
本発明は、主として新聞販売業車両における収納箱に関する。
【背景技術】
【０００２】
背景技術として、箱体の内部に半折して立てた状態で収納した新聞を、対面する側面側に圧接する圧接板を配置し、上記圧接板に対面する側面部に、圧接板により圧接されている新聞を一部ずつその圧接方向と直行する方向に送り出すローラー機構を構成し、かつローラー機構に、操作部を二輪車の一部に配置した回転駆動機構を付設し、さらにローラー機構によって新聞が送り出される箱体の側面にカバー付きの新聞取出しスリットを構成したことを特徴とする新聞配達用新聞運搬ボックスの中で述べられている。
【特許文献１】公開実用  昭和６２−０６６８９２
【０００３】
しかしながら上記背景技術には、以下の問題点がある。第一に、新聞を取出す際に、レバー操作という一作業を行わなければならない。
【０００４】
第二に、日本の一般的なポストの形状を考慮すると、新聞は販売している状態（既に二つ折り）から見て、二つ折り（つまり三つ折り）で投函することが多く、ポスト投函時は、この、「二つ折りにする」、という作業を行わなければならないことが多い。
【０００５】
第三に、第二の問題点に記載の、二つ折りの状態、というものは、配達作業上において、見出し面が表に来ないことが多く、よって、早朝の暗中時、銘柄の確認をすることが容易でないことが多い。
【０００６】
第四に、第二、三の問題点に記載の作業（二つ折りにすること・暗中時の銘柄確認）に関して、熟練した配達員は、その作業を走行中に行うため、常に、ふらつき・転倒の危険性がある。
【０００７】
第五に、一般的に新聞販売業を営む販売店の車両駐車は、盗難防止の意味を含めて、車両同士を極端に密着させて行うため、駐車作業に多大な労力を要する。
【発明の開示】
【発明が解決しようとする課題】
【０００８】
解決しようとする問題点は、レバー操作作業をなくすこと、新聞を二つ折りにする作業の手間、暗中時の容易でない銘柄確認作業、並びに配達熟練者の配達走行時の危険性を減少させること、車両の盗難防止に役立ち、かつ容易な駐車作業を実現させることである。
【課題を解決するための手段】
【０００９】
前述の課題を解決するため、本発明は、有底方形箱体の底面以外四側面の一面に、凹状間隙を有する本体と、前側規制部と、新聞取出し口と、後側規制部と、付勢部材を有し、前記本体内部の凹状間隙側側面に前側規制部を設け、凹状間隙部分の左右両端辺を支点として開閉する取出し口を設置し、本体内部の凹状間隙側面と反対面に後側規制部を設置し、前側規制部と後側規制部を付勢する付勢部材を有する新聞販売業車両用収納箱において、出荷状態の新聞を、見出し面を凹状間隙側に向けた状態で、折目を上に底面と直立させて積層して収納し、箱体内部の凹状間隙側に前側規制部と、凹状間隙部分の左右両端辺を支点として開閉する新聞取出し口を設置し、出荷状態の新聞を半折して取出せるようにし、また、前記箱体の内部において、前側規制部が設置された面と反対面に後側規制部を設置し、前側規制部と後側規制部を付勢する付勢部材を設置し、最終的に後側規制部を前側規制部へと密着させるのに必要とされる、そのストロークに応じた長さを付勢部材に持たせ、さらに、前記箱体において、内部に積層される密着状態の新聞を、取出し口近付で分離状態とするよう、後側規制部よりも深い規制角度を有した前側規制部を持たせ、また、箱体の数箇所に堅牢なフックを付設し、更に、そのフックに錠前機構を備えたケーブルを設置し、隣り合う箱体のフック同士をケーブルにて連結可能にした。
【発明の効果】
【００１０】
本発明は、次のような効果を奏する。
請求項に記載の発明は、箱体の前側規制部側にある開閉部より、商品を直接二つ折りで最後の一部まで取出せ、かつ、新聞を、見出し面を凹状間隙側に向けた状態で、折目を上に底面と直立させて積層して収納するために、見出しが表にくることから、配達作業の効率化（レバー操作の削減、二つ折り作業の削減、見出し確認の容易さの実現）、及び、効率化による、配達熟練者における走行中の危険性を減少させることが可能となり、さらに、車両の盗難防止に役立ち、かつ容易な駐車作業を実現させることができる。
【発明を実施するための最良の形態】
【００１１】
本発明を実施するための、一実施形態を、図１、図２、図３、図４、図５、図６、図７、図８、図９、図１０にて示す。
図１、図２より、本体１０は、底面１ａ、長側面１ｂ、１ｃ、短側面１ｄ・１ｅ、１ｆ、上蓋１ｇから成り（図面的な便宜上、上蓋１ｇは図描写しない）、一方の短側面は、凹状間隙部を有している（凹状間隙部によって分割された短側面を、それぞれ、短側面１ｄ、１ｅとした）。なお、この凹状間隙部については、図１に示されるように、切り抜き状の間隙ではなく、切欠き状の間隙でなければならない。また、短側面１ｄ、１ｅの各平面上の開口部分に設置されたローラー部を、６ａ、６ｂとする。
【００１２】
また、本体１０の内部には、前側規制部としての、くの字型板２ａ、２ｂが、短側面１ｄ、１ｅそれぞれの辺より、長側面１ｂ、１ｃへ設置され、さらに、前側規制部２ａ、２ｂの表面には、スポンジ状の板３ａ、３ｂが、前側規制部２ａ、２ｂの表面を覆うようにして貼り付けられている。この前側規制部の形状についてだが、本体１０に収納された新聞が、使用者の意図に反して本体より露出することを減少させるためにも、これは図１に示されるような、くの字型の形状が望ましい。なぜならば、前側規制部がくの字型の形状でなく、例えば直線形状であった場合、本体１０に収納された新聞が、使用者の意図に反して本体より露出する、或いは場合によって本体より飛び出してしまう可能性があるからである（バイクには動力機構の振動の他、路面状況により不意な振動が加わることもあり、更に、折込広告を伴った新聞はある程度の厚みがあるために、本体１０の短側面に設けた凹状間隙部が、相対的に広めの幅でなければ、新聞を取り出すことが困難になる。よって、凹状間隙部を相対的に広めの幅にとり、なおかつ、収納した新聞の飛び出し等を防止するためにも、前側規制部２ａ、２ｂの形状は、くの字型構造が望ましい）。
【００１３】
また、前側規制部２ａ、２ｂ部分よりもはみ出した部分のスポンジ状板３ａ、３ｂの部分は新聞取出し口として機能する。これらは、凹状間隙部の中央３ｄにて面で接触しており、凹状間隙部の中央３ｄの上部には、新聞を一部ずつ取出し易いように凹部３ｃを設けてある。この凹部３Ｃより新聞を取り出しやすい構造とするためにも、本体にある凹状間隙は、切り抜き状のものでなく、切欠き状の間隙であることが必要である。
【００１４】
例えば、本体１０に設けられた凹状間隙が切欠き状でなく切り抜き状であった場合、図３に示すように、凹状間隙の中央３ｄの上端部に商品取出し口としての凹部３ｃを設置すると、新聞Ｓを取出す際、切り抜き後の外枠Ｒが障害となる。よって、商品取出し口としての凹部３ｃは、凹状間隙部の中央３ｄの上端部ではなく中心部付近に設置することになる。この場合、凹部３Ｃに露見した新聞部分を摘むようにして新聞を取出すことになるわけだが、こうした構造の場合、仮に新聞を１部ずつ取り出すとしても多大な握力を要し（折込広告を伴った新聞は相当の厚みがあるため）、また、その他にも新聞は冊子状でありその紙は薄いため、手指で摘む部分のページを破りとってしまう等の可能性も生じる。
【００１５】
また、新聞取出し口として機能する前側規制部２ａ、２ｂ部分よりもはみ出した部分のスポンジ状板３ａ、３ｂの部分は、雨天時等の状況下において新聞を保護する意味も含め、新聞を取り出す時にのみ開口するような弾力性のある素材であること、または、そのような機構を持つことが必要とされる（図３の形態では、３ｃ部分は常時、雨風等にさらされることとなる）。
【００１６】
また、内部には、後側規制部４を有する。この後側規制部４の両端には、付勢部材５ａ、５ｂが取付けられており、この付勢部材５ａ、５ｂは、短側面１ｄ、１ｅそれぞれのローラー部位６ａ、６ｂを通過し、本体１０の長側面１ｂ、１ｃの外側を通過し、短側面１ｆの中心部付近に設置されたフック７ａ、７ｂとそれぞれ結合している。このフック７ａ、７ｂの位置は、付勢部材５ａ、５ｂの弾性力、伸縮力に応じて変えることが可能である。例えば、図４の説明図（Ａ）、（Ｂ）に示されるように、付勢部材５ａ、５ｂの弾性力、伸縮力が小さい（伸び縮みが小さい）ものであるならば、図４（Ａ）のように、その長さをより多く取ることになり、逆に、付勢部材５ａ、５ｂの弾性力、伸縮力が大きい（伸び縮みが大きい）ものであるならば、図４（Ｂ）のように、その長さは少なくても構わない。
【００１７】
次に、使用方法についてだが、まず、本体１０の内部において、後側規制部４を側面１ｆに連結具を用いて一旦連結する。その後、この後側規制部と前側規制部との間にできた空間に、新聞を、図５に示すように、見出し面を前側規制部側に向けた状態で、折目を上に底面と直立させて積層して収納し、後側規制部４と側面１ｆの連結を解く。こうすることで付勢部材５ａ、５ｂにより、積層する新聞に対して前側規制部方向への圧力が掛かり、配達作業が進み内部に収納された新聞の枚数が減っていくにつれ、付勢部材５ａ、５ｂがローラー部６ａ、６ｂを通して縮小し、後側規制部４は徐々に前側規制部方向へと接近していく。今回の実施形態においては、付勢部材としてゴムバンドを使用したが、その部分については、バネ等の他の弾性体やそれらを使用した機構、バランサー・ラチェット等の他の機構を利用したものでもよい。また、前後規制部の付勢は、両長側面で付勢する以外に、底面で付勢してもよい。
【００１８】
配達先での新聞の取出し方法については、図６の分図（Ａ）から（Ｄ）に表わされるように、新聞取出し口としてのスポンジ状板３ａ、３ｂの接触面３ｄ上にある新聞取出し口としての凹部３Ｃより、収納された新聞の上部中央部分Ｓ１を、指で箱体の外側へ押し出すようにして、新聞Ｓを抜き取る。この時、収納された新聞Ｓは、折目が付けられた状態ではないが、スポンジ状板の接触面３ｄ部分にて面で接したスポンジ状板３ａ、３ｂは、弾性を持つ素材であり、常に接触面３ｄ部分での接触を保とうとする力が生じているため、よって、新聞Ｓがスポンジ状板３ａ、３ｂの間を通る時、新聞Ｓは二つ折りの状態へと形付けられる。また、スポンジ状板３ａ、３ｂは面で接触しているため、新聞Ｓが取出される際に、Ｓが破れたりすることはない。今回、前記記載の取出し口部分に用いる素材は、厚さ約１５ｍｍの発泡ウレタンを使用したが、開閉するために必要な弾性と強度を持った素材であれば、バネ等他のものを利用した開閉式の機構であっても良い。
【００１９】
さらに、この二つ折りにて取出された新聞は、前提として、新聞を収納する際に、見出し面を取出し口側に向けて収納していることからも、見出し面が表の状態を保つことが可能となる。
【００２０】
次に、図７に示すように、箱体の内部に積層収納される新聞の束は、後側規制部側においては、互いに密着状態にあるが、前側規制部２ａ、２ｂには規制角度（しぼり角度）が付いているため、本体内部の幅は次第に狭くなり、よって、後側規制部４の付近では互いに密着状態にある新聞の束は、取出し口に近付くほど次第に深い角度に半折され、結果、積層される新聞間の隙間Ｔは次第に広くなる。言い換えると、取出し口付近では積層収納される新聞同士が互いに分離状態となり、新聞一部一部に指を引っ掛けやすくなる。即ち、新聞を一部ずつ、取出しやすい構造となるわけである。
【００２１】
この状態を作り出すためにも、半折した新聞の頂点が取出し口方向に向くよう、後側規制部４にも僅かな角度を持たせておくか、又は、本体１０の内寸幅を新聞Ｓの幅よりも小さくとっておくことが必要となる（本体の内寸幅が新聞Ｓの幅よりも狭ければ、取出し口方向に折目Ｓ１が向くように新聞Ｓをセットすることで、常時、折曲した新聞の頂点Ｓ１を、取出し口方向へと保つことができる）。また、後側規制部４の形状は、中心付近に凸部を有するものであれば他の形状でも良く、同様にして、前側規制部２ａ、２ｂの形状に関しても、後側規制部４よりも規制角度が深くなるものであれば、他の形状でも良い。
【００２２】
ただし、例えば図８の説明図（Ａ）に示されるように、前側規制部２ａ、２ｂのしぼり部分がきつく、その長さが極端に長い場合、相対的に新聞取出し口も狭くなるため、結果、収納された新聞は取出し口まで到達せず、途中で詰まってしまう可能性がある。逆に、図８の説明図（Ｂ）に示されるように、しぼり角度が緩すぎても新聞同士は密着したままである。よって、前側規制部２ａ、２ｂの形状に関しては、本体１０の幅によって適当な辺の長さと角度を与え、そして、本体１０に設けられた凹状間隙の幅に関しても、相対的に狭くない幅を設定する必要がある。また、凹状間隙の幅が相対的に広くなければならないことからも、収納した新聞の飛び出し等の防止のため、前側規制部２ａ、２ｂの形状は、くの字型が望ましい。
【００２３】
更に、新聞同士の分離をスムーズにさせるためにも、前側規制部２ａ、２ｂに付設されたスポンジ状板３ａ、３ｂに関して、前側規制部２ａ、２ｂからはみ出していない部分の表面は滑り易い状態であることが望ましい。なぜならば、スポンジ状板の表面が滑り難い状態であった場合、図９の（Ｂ）にしめされるように、各所の新聞において、前方の新聞が送り出されずに、前方の新聞に後方の新聞がつまり、例えば２部毎、３部毎の分離状態を生み出す可能性があるためである。なお、滑り易さを実現するための一例として、前側規制部２ａ、２ｂに付設された３ａ、３ｂの表面に、滑り易い素材のテープ等を貼り付けるか、又は、スポンジ部自体に滑り易い素材を使用すること等が考えられる（ただし、新聞取出し口として機能している部分であるスポンジ状板３ａ、３ｂの接触面３ｄ付近を除く。この部分に関しては、新聞の落下防止の他、新聞を半折状態へと折り付ける役割も担うため、滑り難い方が良い）。以上のようにスポンジ状板３ａ、３ｂを形成することにより、図９の（Ａ）に示されるように、本体１０の内部に積層収納されている新聞の束は、前側規制部２ａ、２ｂ付近にて、一部毎に分離し、よって、１部づつ取り出し易くなるわけである。
【００２４】
熟練した新聞配達員は、新聞配達における一連の作業（新聞を抜き取り、二つ折りにし、見出しを確認する）を、次の配達先までのバイク運転中に左手のみを使用して行うが（プレスカブは左グリップにブレーキ、アクセル等の機能が付いておらず、よって左手が比較的自由に使えるため）、本発明（一部ずつ取出しやすく、二つ折りにする必要がなく、見出し確認が容易である）を利用することにより、配達運転中の作業が減少し、よって、運転中のふらつき、または転倒の危険性を減少させることが可能となる。また、新聞配達における一連の作業の簡略化により、配達の熟練者でなく配達初心者であっても、配達熟練者の配達効率を実現させることが比較的容易となる。
【００２５】
一般的に新聞販売業を営む販売店（新聞販売業者に限らず、郵便配達事業者やその他跨車両を使用する業者）の車両駐車は、盗難防止の意味を含めて、車両同士を極端に密着させて行うことがあるため、駐車作業に多大な労力を要する（例えば、極端に密着して駐車されたバイク車両群から、バイク一台を取り出すことは非常に困難な作業となる）。そこで、図１０に示すように、箱体の数箇所に堅牢なフックＸ１〜Ｘ４を付設し（ここでは箱体外面の４箇所に設置した）、更に、そのフックＸ１〜Ｘ４に錠前機構Ｚを備えたケーブルＹを設置し、隣り合う箱体のフックＸ１〜Ｘ４のいずれかへ連結する。つまり、本発明である新聞販売業車両用収納箱を搭載した車両同士を連結させるということである。今回は連結フックＸ１〜Ｘ４を箱本体１０の４箇所に設置したが、適時連結フックを増設してもかまわない。このことにより、車両を極端に密着させる駐車作業を行うことなく、盗難防止も含めた、容易な駐車作業が可能となる。
【図面の簡単な説明】
【００２６】
【図１】収納箱本体の斜視図である。
【図２】収納箱本体の平面図である。
【図３】本体１０の間隙部分を切り抜き状にした状態を示す斜視図である。
【図４】付勢部材５ａ、５ｂの弾性力、伸縮力の違いによりフック７ａ、７ｂの位置が変化することを示す説明図で、（Ａ）は弾性力のある場合、（Ｂ）は弾性力のない場合のフック７ａ、７ｂの位置を示している。
【図５】新聞の収納方法を示す斜視図である。
【図６】（Ａ）、（Ｂ）、（Ｃ）、（Ｄ）、の順に、新聞が二つ折りで取出される様子を示す説明図である。
【図７】前側規制部付近で新聞同士が分離する状態を示す説明図である。
【図８】前側規制部の規制角度（しぼり角度）の違いによる新聞Ｓの状態を示す説明図である。
【図９】スポンジ状板３ａ、３ｂの滑り易さによる、新聞Ｓの分離状態を示す説明図である。
【図１０】フックと錠前機構付きケーブルを付設した箱本体１０が連結している様子を示す上視図である。
【符号の説明】
【００２７】
１０          収納箱本体
１ａ          底面
１ｂ、１ｃ    長側面
１ｄ、１ｅ    分割された各短側面
１ｆ          短側面
４            後側規制部
６ａ、６ｂ    １ｄ、１ｅに取り付けられたローラー部分
２ａ、２ｂ    １ｄ、１ｅより各長側面へ設置された前側規制部位
３ａ、３ｂ    ２ａ、２ｂに貼付されたスポンジ状の板
３ｄ          ３ａ、３ｂの接触面
３ｃ          商品取出し口としての凹部
５ａ、５ｂ    付勢部材
７ａ、７ｂ    ５ａ、５ｂの固定具
Ｒ            本体１０の切り抜き部上端の外枠
Ｓ            箱体に収納された新聞
Ｔ            箱体に収納された新聞間の隙間
Ｐ            新聞Ｓと取出し面との空間
Ｑ            新聞Ｓの複数部ずつのまとまり
Ｘ１〜Ｘ４    連結用フック
Ｙ            ケーブル
Ｚ            錠前機構
【図１】
2008222308.tif 000003
【図２】
2008222308.tif 000004
【図３】
2008222308.tif 000005
【図４】
2008222308.tif 000006
【図５】
2008222308.tif 000007
【図６】
2008222308.tif 000008
【図７】
2008222308.tif 000009
【図８】
2008222308.tif 000010
【図９】
2008222308.tif 000011
【図１０】
2008222308.tif 000012